(57)【要約】パンツ型の使い捨て着用物品であって、着用物品（１）は、着用者の胴を覆うように適合された前胴回り部（３）および後胴回り部（３）と、前記前後の胴回り部に架設された吸収性本体（２）とを包含し、前記前後の胴回り部の各々は、胴回り方向（Ｘ）に延びる複数の弾性部材（３２）が２枚のシート片（３１）の間に挟まれて形成されており、弾性部材が収縮している状態において、複数の接合部（４１，４２，４３）の間に複数の襞（Ｐ）が現れるように構成され、前後の胴回り部は互いに重ねあわされ、前胴回り部の端部（Ｅ３）と後胴回り部の端部（Ｅ３）とが互いにサイドシール（５）により溶着接合されており、複数の接合部のうちサイドシールに最も近接した第１接合部（４１）とサイドシールとの伸縮方向の第１間隔（Ｓ１）が、胴回り部の端部間の中間部分において互いに隣り合う第２接合部（４２）同士の伸縮方向の第２間隔（Ｓ２）よりも小さい。
2018092559.tif 000002
【特許請求の範囲】
【請求項１】
パンツ型の使い捨て着用物品であって、着用物品１は、着用者の胴を覆うように適合された前胴回り部３および後胴回り部３と、前記前後の胴回り部３に架設された吸収性本体２とを包含し、  前記前後の胴回り部３の各々は、胴回り方向Ｘに延びる複数の弾性部材３２が２枚のシート片３１の間に挟まれて形成されており、  前記２枚のシート片３１同士を互いに溶着構造で接合し、前記弾性部材３２を前記２枚のシート片３１に固定する３本以上のストライプ状の接合部４１，４２，４３が、前記弾性部材３２の伸縮方向Ｄｆに交差する方向Ｄｐに連続して設けられ、  前記弾性部材３２が収縮している状態において、前記３本以上のストライプ状の接合部４１，４２，４３の間に複数の襞Ｐが現れるように構成され、  前記前後の胴回り部３は互いに重ね合わされ、前記前胴回り部３の前記胴回り方向Ｘの端部Ｅ３と前記後胴回り部３の前記胴回り方向Ｘの端部Ｅ３とが互いにサイドシール５により溶着構造で接合されており、  前記３本以上のストライプ状の接合部４１，４２，４３のうち前記サイドシール５に最も近接した第１接合部４１と前記サイドシール５との前記伸縮方向Ｄｆの第１間隔Ｓ１が、前記３本以上のストライプ状の接合部４１，４２，４３のうち前記胴回り部３の前記端部Ｅ３，Ｅ３間の中間部分において互いに隣り合う複数の第２接合部４２同士の前記伸縮方向Ｄｆの第２間隔Ｓ２よりも小さい、着用物品。
【請求項２】
請求項１において、前記３本以上のストライプ状の接合部４１〜４３のうち前記第１接合部４１に隣り合う第３接合部４３と前記第１接合部４１との前記伸縮方向Ｄｆの第３間隔Ｓ３が前記第２間隔Ｓ２よりも小さい、着用物品。
【請求項３】
請求項１もしくは２において、前記２枚のシート片３１同士を互いに溶着構造で接合し、前記弾性部材３２を前記２枚のシート片３１に固定する複数の第４接合部４４が、前記弾性部材３２の伸縮方向Ｄｆに交差する方向Ｄｐに連続して設けられ、前記サイドシール５が配置された前記端部Ｅ３のシール領域Ａ５において、前記第４接合部４４は前記サイドシール５の一部に重なるように配置されている、着用物品。
【請求項４】
請求項２において、  前記サイドシール５が配置された前記端部Ｅ３のシール領域Ａ５において、前記３本以上のストライプ状の接合部４１〜４３の全てが前記サイドシール５に重なることなく配置されている、着用物品。
【請求項５】
請求項４において、前記２枚のシート片３１同士を互いに溶着構造で接合し、前記弾性部材３２を前記２枚のシート片３１に固定する複数の第５接合部４５が、前記弾性部材３２の伸縮方向Ｄｆに交差する方向Ｄｐに連続して設けられ、前記複数の第５接合部４５は前記第３接合部４３に対し前記第１接合部４１とは前記伸縮方向向Ｄｆの反対側に配置され、前記複数の第５接合部４５のうち前記第３接合部４３に隣り合う第５接合部４５と前記第３接合部との前記伸縮方向Ｄｆの第４間隔Ｓ４、ならびに、前記第３接合部４３の近傍の前記複数の第５接合部４５同士の前記伸縮方向Ｄｆの第４間隔Ｓ４のうちの少なくとも一方が前記第２間隔Ｓ２よりも小さい、着用物品。
【請求項６】
請求項１〜５のいずれか１項において、  前記各接合部のうち少なくとも１以上の接合部の前記伸縮方向Ｄｆの幅Δが０．２ｍｍ以上１．０ｍｍ未満に設定されている、着用物品。
【請求項７】
請求項１〜５のいずれか１項において、  前記各接合部のうち少なくとも前記第１接合部４１の前記伸縮方向Ｄｆの幅Δが０．２ｍｍ以上１．０ｍｍ未満に設定されている、着用物品。
【請求項８】
請求項２〜５のいずれか１項において、  前記接合部のうち少なくとも第１および第３接合部４１，４３の前記伸縮方向Ｄｆの幅Δが０．２ｍｍ以上１．０ｍｍ未満に設定されている、着用物品。
【請求項９】
請求項１の着用物品の製造方法であって、  複数の連続弾性部材Ｆが２枚の連続シートＷ４の間に挟まれ、前記前後の胴回り部３となる一対の胴回り連続体４０を生成する工程と、  前記一対の胴回り連続体４０を互いに平行に前記胴回り方向Ｘに沿った搬送方向Ｌに搬送する工程と、  前記搬送中に前記吸収性本体２が前記一対の胴回り連続体４０に架設されるように前記吸収性本体２を配置して連続積層体Ｗ１を生成する工程と、  前記一対の胴回り連続体４０同士が互いに重なるように、前記吸収性本体２において前記連続積層体Ｗ１を２つに折る折り工程と、  前記前後の胴回り部３の前記搬送方向Ｌの端部Ｅ３となる部位において、前記一対の胴回り連続体４０同士を互いに溶着して２列の前記サイドシール５，５を次々に形成する工程と、  前記２列のサイドシール５，５の間において、前記一対の胴回り連続体４０を次々に切断して、個々の着用物品１を得る工程とを備え、  前記各胴回り連続体４０を生成する工程は、  前記搬送方向Ｌに間欠的に、かつ、前記複数の連続弾性部材Ｆを横断するように、かつ、前記第１間隔Ｓ１が前記第２間隔Ｓ２よりも小さくなるように、前記連続シートＷ４同士を３本以上のストライプ状の接合部４１〜４３で互いに溶着接合する工程を含む製造方法。
【発明の詳細な説明】
【技術分野】
【０００１】  本発明はいわゆるパンツ型の使い捨て着用物品および製造方法に関する。
【背景技術】
【０００２】  下記の特許文献１の発明では、２枚のシート間に複数の弾性部材を挟み込み、弾性部材の伸縮方向と交差する方向に連続する多数の接合部において２枚のシートおよび弾性部材を溶着している。
【先行技術文献】
【特許文献】
【０００３】
【特許文献１】ＪＰ２０１４−１９８１８０Ａ（フロントページ）
【発明の概要】
【０００４】この先行技術の伸縮シートをパンツ型の着用物品の胴回り部に用いた場合、胴回り部の各端部において、前後の胴回り部が互いにサイドシールにより連結される。前記サイドシール後の個分け時の切断の際に、弾性部材が切断され、各端部に最も近接した接合部まで、弾性部材が収縮（いわゆるスナップバック）することがある。
【０００５】端部に最も近接した接合部において弾性部材が十分な接合力でシートに固定されていないと、スナップバックの際に、隣の接合部まで弾性部材が更に収縮してスナップバックの連鎖が生じる。このような現象で着用物品の歩留りが低下したり、品質のバラツキが生じる。
【０００６】前記先行技術では、弾性部材の固定力を確保するため、接着剤により弾性部材の固定を補強することが提案されている。しかし、接着剤を用いると、通気性が損なわれる上、胴回り部となる伸縮シートが接着剤で柔軟性を失う。そのため、着用感の低下する要因となる。
【０００７】本発明の目的は、着用物品の歩留まりの低下や品質のバラツキを抑制でき、かつ、着用感が優れた使い捨て着用物品および製造方法を提供することである。
【０００８】パンツ型の使い捨て着用物品であって、着用物品１は、着用者の胴を覆うように適合された前胴回り部３および後胴回り部３と、前記前後の胴回り部３に架設された吸収性本体２とを包含し、  前記前後の胴回り部３の各々は、胴回り方向Ｘに延びる複数の弾性部材３２が２枚のシート片３１の間に挟まれて形成されており、  前記２枚のシート片３１同士を互いに溶着構造で接合し、前記弾性部材３２を前記２枚のシート片３１に固定する３本以上のストライプ状の接合部４１，４２，４３が、前記弾性部材３２の伸縮方向Ｄｆに交差する方向Ｄｐに連続して設けられ、  前記弾性部材３２が収縮している状態において、前記３本以上のストライプ状の接合部４１，４２，４３の間に複数の襞Ｐが現れるように構成され、  前記前後の胴回り部３は互いに重ね合わされ、前記前胴回り部３の前記胴回り方向Ｘの端部Ｅ３と前記後胴回り部３の前記胴回り方向Ｘの端部Ｅ３とが互いにサイドシール５により溶着構造で接合されており、前記３本以上のストライプ状の接合部４１，４２，４３のうち前記サイドシール５に最も近接した第１接合部４１と前記サイドシール５との前記伸縮方向Ｄｆの第１間隔Ｓ１が、前記３本以上のストライプ状の接合部４１，４２，４３のうち前記胴回り部３の前記端部Ｅ３，Ｅ３間の中間部分において互いに隣り合う複数の第２接合部４２同士の前記伸縮方向Ｄｆの第２間隔Ｓ２よりも小さい。
【０００９】本発明によれば、前記第１間隔Ｓ１が前記第２間隔Ｓ２よりも小さい。そのため、サイドシールによる弾性部材３２の溶断やサイドシール後の個分けの切断の際に弾性部材がスナップバックしても、スナップバック時の収縮力が小さい。したがって、スナップバックした弾性部材３２を第１接合部４１で固定して、スナップバックの連鎖を抑制することができる。
【図面の簡単な説明】
【００１０】
【図１】図１は本発明の実施例１にかかり、弾性部材を胴回り方向に引き延ばした状態で示す着用物品の正面図である。
【図２】図２は同着用物品の端部がサイドシールにより接合されていない展開状態で示される正面図である。
【図３】図３Ａは着用物品の中間部分の拡大正面図、図３Ｃは着用物品の端部の拡大正面図、図３Ｂおよび図３Ｄは、それぞれ、前後の胴回り部の襞を示す概念的な断面図である。
【図４】図４は一連の製造方法を示す概略平面図である。
【図５】図５は胴回り連続体の生成方法を示す平面図である。
【図６】図６は胴回り連続体からパンツ型着用物品を生成する方法を示す平面図である。
【図７】図７Ａは着用物品の他の例を示す正面図、図７Ｂは着用物品の端部の拡大正面図である。
【００１１】  図１〜図３Ａ、図３Ｃ、図７Ａおよび図７Ｂにおいて各接合部はグレーで表記されている。  図１、図２、図３Ｃ、図７Ａおよび図７Ｂにおいてサイドシールはグレーで表記されている。  図４においては各接合部およびサイドシールの図示が省略されている。図を見易くするために、各図において、サイドシールおよび接合部の数を減らして図示されている。また、各図において、着用物品の大きさに対する各接合部の幅や間隔を実際よりも大きくして図示している。
【発明を実施するための形態】
【００１２】好ましくは、前記３本以上のストライプ状の接合部４１〜４３のうち前記第１接合部４１に隣り合う第３接合部４３と前記第１接合部４１との前記伸縮方向Ｄｆの第３間隔Ｓ３が前記第２間隔Ｓ２よりも小さい。
【００１３】この場合、サイドシール近傍の接合部同士の間隔が狭い。そのため、サイドシール近傍の第１または第３接合部で弾性部材を固定することができる可能性が高い。したがって、サイドシール時のスナップバックを小さく抑制することができる。
【００１４】好ましくは、前記２枚のシート片３１同士を互いに溶着構造で接合し、前記弾性部材３２を前記２枚のシート片３１に固定する複数の第４接合部４４が、前記弾性部材３２の伸縮方向Ｄｆに交差する方向Ｄｐに連続して設けられ、前記サイドシール５が配置された前記端部Ｅ３のシール領域Ａ５において、前記第４接合部４４は前記サイドシール５の一部に重なるように配置されている。この場合、スナップバックを更に抑制できるだろう。なお、この場合、通常、サイドシール５の剛性の方が接合部の剛性よりも大きく、そのため、前記シール領域において襞は形成されないだろう。
【００１５】好ましくは、前記サイドシール５が配置された前記端部Ｅ３のシール領域Ａ５において、前記３本以上のストライプ状の接合部４１〜４３の全てが前記サイドシール５に重なることなく配置されているこの場合、前記端部において剛性が小さく、たとえば、着用者が横臥した際の着用感が向上するだろう。
【００１６】好ましくは、前記２枚のシート片３１同士を互いに溶着構造で接合し、前記弾性部材３２を前記２枚のシート片３１に固定する複数の第５接合部４５が、前記弾性部材３２の伸縮方向Ｄｆに交差する方向Ｄｐに連続して設けられ、前記複数の第５接合部４５は前記第３接合部４３に対し前記第１接合部４１とは前記伸縮方向向Ｄｆの反対側に配置され、前記複数の第５接合部４５のうち前記第３接合部４３に隣り合う第５接合部４５と前記第３接合部との前記伸縮方向Ｄｆの第４間隔Ｓ４、ならびに、前記第３接合部４３の近傍の前記複数の第５接合部４５同士の前記伸縮方向Ｄｆの第４間隔Ｓ４のうちの少なくとも一方が前記第２間隔Ｓ２よりも小さい。たとえば前記シール領域に接合部が設けられていない場合、同領域に接合部が設けられている場合に比べ、スナップバックの際に弾性部材が前記第３接合部よりも中央側に収縮し易いかもしれない。したがって、前記第１接合部とは反対側の前記第３接合部の近傍に前記第５接合部を設けるのが好ましいだろう。
【００１７】これらの場合、サイドシール近傍の接合部同士の間隔が狭いことから、伸縮シート（２枚のシート片およびその間の弾性部材）の収縮時に形成される襞の高さは、中間部分に形成される襞に比べて、サイドシール近傍の襞の方が小さい（高さが低い）。そのため、僅かに伸縮シートを伸張させるだけでサイドシール近傍は簡単に平坦化する。したがって、サイドシール近傍においてシートを貫通する方向の通気性は、高い襞が密集する中間部分よりも良好であろう。
【００１８】好ましくは、前記接合部のうち少なくとも１以上の接合部の前記伸縮方向Ｄｆの幅Δが０．２ｍｍ以上１．０ｍｍ未満に設定されている。好ましくは、前記接合部のうち少なくとも前記第１接合部４１の前記伸縮方向Ｄｆの幅Δが０．２ｍｍ以上１．０ｍｍ未満に設定されている。好ましくは、前記接合部のうち少なくとも第１および第３接合部４１，４３の前記伸縮方向Ｄｆの幅Δが０．２ｍｍ以上１．０ｍｍ未満に設定されている。
【００１９】これらの場合、各接合部の幅Δが小さいため、隣り合う接合部の間で形成される襞のピッチを小さくすることができる。
【００２０】特に、接合部同士の間隔が小さいサイドシール近傍においては、前記幅Δが小さいことで、小さい襞を美しく形成することができるであろう。
【００２１】また、弾性部材は超音波溶着装置のホーンなどの溶着装置に対し所定の速度で移動しており、そのため、個々の部分を観ると、前記幅とは関係なく、一定時間だけ加熱される。しかし、前記幅が大きいと、加熱される部分が連続して長くなる。そのため、熱が蓄積されて、シートや弾性部材が過剰に加熱されるおそれがある。
【００２２】  ここで、各接合部の伸縮方向の幅Δが０．２ｍｍ以上１．０ｍｍ未満とは、少なくとも弾性部材と交差する部位での接合部の幅Δが０．２ｍｍ以上１．０ｍｍ未満であって、弾性部材間においては、接合部の長さ方向の過半（半分以上）の長さの部分について前記幅Δが０．２ｍｍ以上１．０ｍｍ未満であることを意味し、好ましくは、接合部の長さ方向の大半（８０％以上）の長さの部分について前記幅Δが０．２ｍｍ以上１．０ｍｍ未満に設定される。
【００２３】  すなわち、接合部の幅Δは、一部において１．０ｍｍ以上であってもよい。例えば、２条の接合部が互いに交差する場合、当該交差する部分の接合部の幅Δは１．０ｍｍ以上であってもよい。一方、接合部の幅Δは、一部において０．２ｍｍ未満であってもよい。
【００２４】  図１に示すように、前記接合部の前記伸縮方向Ｄｆの幅Δは０．２ｍｍ以上１．０ｍｍ未満に設定されている。この例の場合、接合部において２枚のシート同士やシートと弾性部材Ｆとが美しく均質に接合されるであろう。
【００２５】  シートや弾性部材が過剰に加熱されるおそれがあるという前述の観点から、前記接合部の幅Δは０．９５ｍｍ以下が好ましく、０．９ｍｍ以下がより好ましく、０．８５ｍｍ以下が最も好ましいだろう。
【００２６】一方、一般に、弾性部材と両シート片との接合力はシート片同士の接合力に比べ弱いだろう。したがって、接合部の幅Δが小さすぎると、弾性部材と両シート片との接合力が不足し易い。かかる観点から前記接合部の幅Δは０．３ｍｍ以上が好ましく、０．３５ｍｍ以上がより好ましく、０．４ｍｍ以上が最も好ましいだろう。
【００２７】弾性部材は、線状または索状であってもよい。例えば、弾性部材は、複数の糸ゴム（繊維状弾性体）が束状に集合したマルチストランドであってもよい。糸ゴムの材質としては、例えば、ポリウレタンが挙げられる。
【００２８】前記弾性部材の収縮力により、各胴回り部のシート片は前記弾性部材が収縮した状態で、多数の襞Ｐを形成する。前記シート片は、例えば多数の熱可塑性の繊維が積層された熱可塑性の不織布であってもよい。
【００２９】本着用物品の製造方法は、複数の連続弾性部材Ｆが２枚の連続シートＷ４の間に挟まれ、前記前後の胴回り部３となる一対の胴回り連続体４０を生成する工程と、  前記一対の胴回り連続体４０を互いに平行に前記胴回り方向Ｘに沿った搬送方向Ｌに搬送する工程と、  前記搬送中に前記吸収性本体２が前記一対の胴回り連続体４０に架設されるように前記吸収性本体２を配置して連続積層体Ｗ１を生成する工程と、  前記一対の胴回り連続体４０同士が互いに重なるように、前記吸収性本体２において前記連続積層体Ｗ１を２つに折る折り工程と、  前記前後の胴回り部３の前記搬送方向Ｌの端部Ｅ３となる部位において、前記一対の胴回り連続体４０同士を互いに溶着して２列の前記サイドシール５，５を次々に形成する工程と、  前記２列のサイドシール５，５の間において、前記一対の胴回り連続体４０を次々に切断して、個々の着用物品１を得る工程とを備え、  前記各胴回り連続体４０を生成する工程は、前記搬送方向Ｌに間欠的に、かつ、前記複数の連続弾性部材Ｆを横断するように、かつ、前記第１間隔Ｓ１が前記第２間隔Ｓ２よりも小さくなるように、前記連続シートＷ４同士を３本以上のストライプ状の接合部４１〜４３で互いに溶着接合する。
【００３０】２列のサイドシール５，５の間において胴回り連続体４０を次々に切断する際に、連続弾性部材Ｆも切断される。切断された連続弾性部材Ｆは第１接合部４１までスナップバックする。この第１接合部４１の接合力が十分な大きさでない場合、前記スナップバックの連鎖が生じ易い。これに対し前記第１間隔Ｓ１が小さいことで、前記スナップバックの連鎖を抑制し得る。
【００３１】１つの前記各実施態様または下記の実施例に関連して説明／およびまたは図示した特徴は、１つまたはそれ以上の他の実施態様または他の実施例において同一または類似な形で、および／または他の実施態様または実施例の特徴と組み合わせて、または、その代わりに利用することができる。
【実施例】
【００３２】  本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００３３】  以下、本発明の実施例１にかかる着用物品１の構造が図面にしたがって説明される。  図１〜図３Ｄは実施例１を示す。【００３４】  図１および図２に示すように、本実施例１の着用物品１は、左右対称の形状および構造を有し、吸収性本体２および前後の胴回り部３を備えている。前記吸収性本体２は、着用者の前胴を覆い胴回り方向Ｘに延びる胴部、着用者の後胴を覆い胴回り方向Ｘに延びる胴部、ならびに、前記両胴部の間の股間を覆う股部２２を有している。【００３５】  前記股部２２は前記胴回り方向Ｘに直交する縦方向Ｙに延びる。前記吸収性本体２は股部２２の一部又は全部を構成する。【００３６】  図１のように、完成品の状態では、前記股部２２は前記胴回り方向Ｘに平行なラインにおいて２つに折られている。これにより、図２の前記前後の胴回り部３の胴回り方向Ｘの端部Ｅ３同士が図１のように互いに重なっている。本着用物品はパンツ型であり、前胴回り部３と後胴回り部３の胴回り方向Ｘの端部同士が互いに溶着されている。【００３７】  図２の前記吸収性本体２には図示しない吸収コアが設けられている。この吸収コアは体液を吸収する。前記吸収コアは、トップシートとバックシートとの間で挟まれている。各シートおよび吸収コアは互いに積層されている。【００３８】  前記トップシートは透液性の薄い不織布からなり、吸収コアの肌面を覆う。このトップシートの上には、図示しないカフが設けられていてもよい。【００３９】  前記バックシートは吸収コアの非肌面を覆い、液不透過性の樹脂シートからなる。前記吸収性本体２の前記縦方向Ｙの各端部には、前記各胴回り部３が貼り付けられている。   【００４０】  前記各胴回り部３は、前記吸収性本体２から胴回り方向Ｘに突出している。つまり、前記胴回り部３は、股部２２よりも胴回り方向Ｘに突出し吸収性本体２の両縁部(胴回り方向の端部)Ｅ２から胴回り方向Ｘに延び出している。【００４１】各胴回り部３には、着用物品１を着用者にフィットさせるための弾性部材３２が設けられている。この弾性部材３２としては、たとえば、複数本の糸ゴムや平ゴムまたは熱可塑性樹脂を含む材料などを採用することができる。また、弾性部材３２は吸収性本体２と重なる部分において、無効化され（収縮力がない状態とされ）ていてもよい。各弾性部材３２は互いに平行に胴回り方向Ｘに延びていてもよい。【００４２】  前記吸収性本体２には、着用者の脚部に沿って括れた脚回り部（図示せず）が形成されてもよい。前記脚回り部や、前記胴回り部３の脚回り部に連なる部位には、着用者の脚回りに沿うように、たとえば、糸ゴムなどからなる別の弾性部材が設けられていてもよい。【００４３】  前記吸収性本体２は前記胴回り部３の肌面に付着されている。  本明細書において、「肌面」とは着用物品１の着用時において��用者の肌に対面する面をいい、「非肌面」とは前記肌面とは反対の面をいう。【００４４】  つぎに、本着用物品１の更なる詳細について説明される。【００４５】図２において、前記前後の胴回り部３の各々は、胴回り方向Ｘに延びる複数の弾性部材３２が２枚の不織布シート片３１の間に挟まれて形成されている。グレーで表記された多数の第１〜第３および第５接合部４１〜４３、４５において、前記２枚のシート片３１は互いに溶着接合されている。図３Ａおよび図３Ｃのように、前記多数の各接合部４１〜４３、４５は前記弾性部材３２に重なっており、図３Ｂおよび図３Ｄに示すように、接合部４１〜４３、４５で互いに接合された各胴回り部の２枚のシート片３１は弾性部材３２の収縮力により襞（ギャザー）Ｐを形成する。すなわち、前記弾性部材３２が収縮している状態において、前記複数の接合部４１，４２，４３，４５の間に複数の襞Ｐが現れるように構成されている。なお、図３Ｂおよび図３Ｄにおいて２枚のシート片の間に挟まれる弾性部材の図示は省略されている。【００４６】図２に示すように、前記多数の各接合部４１〜４３、４５は、胴回り方向Ｘ（弾性部材３２の伸縮方向Ｄｆ）に直交する縦方向Ｙ（交差する方向Ｄｐ）に互いに平行に（前記胴回り方向に互いに離間して）ストライプ状に配列されている。すなわち、前記多数の各接合部４１〜４３、４５は、前記胴回り方向Ｘに間欠的に配置され、かつ、前記複数の弾性部材３２に直交する前記縦方向Ｙに連続的に（連続して）配置されている。【００４７】図１に示すように、グレーで表記した多数のサイドシール５において、前記前後の胴回り部３が互いに溶着接合されている。前記多数のサイドシール５は前記前後の胴回り部３の前記胴回り方向Ｘの端部Ｅ３において前記縦方向Ｙに間欠的に配置されている。本例の場合、縦方向Ｙに延びる第１〜第３、第５接合部４１〜４３、４５およびサイドシール５の各列は胴回り方向Ｘに互いに平行に、かつ、離間して配置されている。【００４８】  各着用物品が個々の着用物品の単位に切断される際に、弾性部材３２も切断され、サイドシール５と弾性部材３２とが重なっていない部位では、いわゆるスナップバックが生じ、弾性部材３２が収縮する。  また、図３Ｃに示すように、前記サイドシール５は縦方向Ｙ（交差する方向Ｄｐ）に密に間欠的に配置されており、一部において弾性部材３２と配置が重なっている。そのため、弾性部材３２はサイドシール５において溶断されている場合があり、このような場合、弾性部材３２の端部は、スナップバックにより収縮する。【００４９】図１において、第１接合部４１と前記サイドシール５との間には、第１間隔Ｓ１が設定されている。第２接合部４２同士の間には第２間隔Ｓ２が設定されている。【００５０】図１の前記第１間隔Ｓ１は前記複数の接合部４１，４２，４３，４５のうち前記サイドシール５に最も近接した第１接合部４１と前記サイドシール５との前記伸縮方向Ｄｆの第１間隔Ｓ１である。前記第２間隔Ｓ２は前記複数の接合部４１，４２，４３，４５のうちの、前記胴回り部３の前記端部Ｅ３，Ｅ３間の中間部分において互いに隣り合う第２接合部４２同士の前記伸縮方向Ｄｆの第２間隔Ｓ２である。なお、中間部��とは前記端部Ｅ３およびその近傍を除く前記胴回り部の胴回り方向Ｘの中央領域を意味する。たとえば、図１において、前記吸収性本体２の前記胴回り方向Ｘの幅に対応する前記胴回り部の領域において複数の前記第２接合部４２が設けられている。【００５１】前記第１間隔Ｓ１は前記第２間隔Ｓ２よりも小さい。なお、前記第２間隔Ｓ２は例えば４〜６ｍｍ程度に設定されてもよい。【００５２】図１において前記複数の接合部４１〜４３のうち前記第１接合部４１に隣り合う第３接合部４３と前記第１接合部４１との前記伸縮方向Ｄｆの間には第３間隔Ｓ３が設定されている。また、前記第３接合部４３に隣り合う第５接合部４５と前記第３接合部との前記伸縮方向Ｄｆの間、および、前記第３接合部４３の近傍の前記第５接合部４５同士の前記伸縮方向Ｄｆの間には第４間隔Ｓ４が設定されている。【００５３】これらの第３間隔Ｓ３および第４間隔Ｓ４は前記第２間隔Ｓ２よりも小さい。なお、前記第３間隔Ｓ３および第４間隔Ｓ４は例えば２〜３ｍｍ程度に設定されてもよい。【００５４】図１において、前記各接合部４１〜４３、４５の前記伸縮方向Ｄｆの幅Δは例えば０．５〜０．７ｍｍ程度に設定されてもよい。【００５５】つぎに、本着用物品１の製造方法が説明される。【００５６】  図４に示すように、搬送方向Ｌに延びる複数本の連続弾性部材Ｆが搬送方向Ｌに伸張された状態で搬送方向Ｌに搬送される。【００５７】  図示しないニップロールは前記搬送方向Ｌに延びる一対の側縁部４Ｅを有する２枚の連続シート（例えば連続不織布）Ｗ４の間に前記連続弾性部材Ｆを挟むと共に、前記連続シートＷ４が互いに重なるように接合して連続体４０を生成する。【００５８】すなわち、図５の前記搬送方向Ｌに間欠的に、かつ、前記複数の連続弾性部材Ｆを横断するように前記複数の連続シートＷ４同士が多数の第１〜第３、第５接合部４１〜４３、４５で互いに溶着接合される。ここで、図１に示すように、前記第１間隔Ｓ１、前記第３間隔Ｓ３および前記第４間隔Ｓ４が前記第２間隔Ｓ２よりも小さくなるように前記溶着接合が実行される。なお、この溶着接合はヒートシール（熱溶着）であってもよいし、超音波エネルギーによる溶着であってもよい。【００５９】前記連続体４０は前記吸収性本体２と重なる部位において、前記連続弾性部材Ｆの一部が切断等されて無効化されてもよい。なお、無効化された領域には吸収性本体２が後の工程で貼付けられる。【００６０】図５に示すように、前記一対の側縁部４Ｅを有する連続体４０は搬送方向Ｌに搬送されながら搬送方向Ｌに沿ってスリッタ（図示せず）でスリットされる。これにより、前記連続体４０は前後の胴回り部となる一対の胴回り連続体４０となる。前記スリット後、前記搬送方向Ｌに直交する縦方向Ｙに互いに離間するように、前記２つの胴回り連続体４０が前記縦方向Ｙに相対移動される。【００６１】その後、前記一対の胴回り連続体４０が互いに概ね平行に前記搬送方向Ｌに搬送されながら、前記吸収性本体２が前記一対の胴回り連続体４０に跨り、かつ、前記各胴回り連続体４０に一部において重なるように前記吸収性本体２が配置（架設）されて、連続積層体Ｗ１が生成される。【００６２】その後、図６に示すように��前記連続積層体Ｗ１は前記一対の胴回り連続体４０同士が互いに重なるように、前記吸収性本体２において２つに折り畳まれる。【００６３】図６に示すように、前記前後の胴回り部３となる部分の前記搬送方向Ｌの端部Ｅ３（図１）において、かつ、前記複数の接合部のうちの互いに隣り合う第１接合部４１同士の間のサイドシール５において、前記一対の胴回り連続体４０同士が互いに溶着接合される。なお、この溶着接合は超音波ホーンの超音波エネルギーによる溶着であってもよいし、ヒートシールであってもよい。【００６４】その後、図６の前記連続積層体Ｗ１は一点鎖線で示す仮想の切断線に沿って個々の着用物品１ごとの大きさ（単位）に切り取られる。すなわち、個々の着用物品１を次々に生成するために、連続積層体Ｗ１が前記搬送方向Ｌに互いに隣り合う吸収性本体２同士の間において縦方向Ｙに次々に切断される。こうして、着用物品１の胴回り方向Ｘ（図１）の端部Ｅ３となる位置において、かつ、２列のサイドシール５，５の間において、一対の胴回り連続体４０が次々に切断される。これにより、図１に示す個々のパンツ型着用物品１が得られる。【００６５】図７Ａおよび図７Ｂは実施例２を示す。以下、実施例１と異なる構造について主に説明し、実施例１と同様の構造については説明を省略する。【００６６】本例の場合、図７Ｂに明示する第４接合部４４においても、一対のシート３，３が互いに溶着されている。前記第４接合部４４は前記サイドシール５と重なっている。すなわち、前記第４接合部４４は、前記２枚のシート片３１同士を互いに溶着し、前記弾性部材３２を前記２枚のシート片３１に固定し、かつ、前記弾性部材３２の伸縮方向Ｄｆに交差する方向Ｄｐに連続して設けられている。前記サイドシール５が配置された前記端部Ｅ３のシール領域Ａ５において、前記第４接合部４４は前記サイドシール５の一部に重なるように配置されている。なお、本例の場合、２列の前記第４接合部４４が前記シール領域５Ａに設けられている。【００６７】一方、実施例１は、図２に示すように、前記サイドシール５が配置された前記端部Ｅ３のシール領域Ａ５において、前記複数の接合部の全てが前記サイドシール５に重なることなく配置されている。【００６８】なお、前記各例において、各接合部４１〜４５は互いに平行に、かつ、胴回り方向Ｘに直交する方向に延びている。しかし、ストライプ状の接合部は直交する方向Ｙに対し傾いた方向に延びていてもよく、更には各接合部同士が互いに交差する方向に斜めの２方向に延びていてもよい。【００６９】以上のとおり、図面を参照しながら好適な実施例を説明したが、当業者であれば、本明細書を見て、自明な範囲で種々の変更および修正を容易に想定するであろう。たとえば、本着用物品は、カフなどを有していなくてもよい。また、胴回り部材における吸収性本体とラップする部位以外の部位についても、弾性部材の張力が無効化されてもよい。また、胴回り連続体４０は２つにスリットされて生成されなくてもよい。したがって、そのような変更および修正は、請求の範囲から定まる本発明の範囲内のものと解釈される。
【産業上の利用可能性】
【００７０】本発明はパンツタイプの着用物品に適用できる。
【符号の説明】
【００７１】１：着用物品  ２：吸収性本体  ２２：股部  ３：胴回り部  ３１：シート片  ３２：弾性部材  ４０：胴回り連続体  ４１：第１接合部  ４２：第２接合部  ４３：第３接合部  ４４：第４接合部  ４５：第５接合部５：サイドシール  Ｅ２：縁部  Ｅ３：端部  Ａ５：シール領域Ｄｆ：伸縮方向  Ｆ：連続弾性部材  Ｌ：搬送方向  Ｐ：襞  Ｓ１，Ｓ２，Ｓ３：間隔  Ｘ：胴回り方向  Ｙ：直交する方向（縦方向）Ｗ１：連続積層体  Ｗ４：連続シート  Δ：接合部の幅
【図１】
2018092559.tif 000003
【図２】
2018092559.tif 000004
【図３】
2018092559.tif 000005
【図４】
2018092559.tif 000006
【図５】
2018092559.tif 000007
【図６】
2018092559.tif 000008
【図７】
2018092559.tif 000009
【国際調査報告】
2018092559.tif 000010
2018092559.tif 000011
2018092559.tif 000012
2018092559.tif 000013